(57)【要約】【課題】現在、インターネットを利用する情報の公開や交換が広く行われているものの、自己のホームページを有しない場合には、これをほとんど活用できない問題がある。また、自己のホームページを有する場合でも、その更新に多大な手間と費用がかかってしまうことになる。【解決手段】情報を特定のウェブサイトに掲載することによって該情報を伝達する手段において、該特定のウェブサイトの主催者は、該特定のウェブサイトに依頼者の情報を所定の名前で所定期間掲載すると共に、該依頼者に、該依頼者が開示する該所定の名前を通知する。【選択図】　　　　図１
2004013535.tif 000002
【特許請求の範囲】
【請求項１】
情報を特定のウェブサイトに掲載することによって該情報を伝達する手段において、該特定のウェブサイトの主催者は、該特定のウェブサイトに依頼者の情報を所定の名前で所定期間掲載すると共に、該依頼者に、該依頼者が開示する該所定の名前を通知することを特徴とする閲覧仲介サービス。
【請求項２】
依頼者の情報は、有料で掲載するものである請求項１記載の閲覧仲介サービス。
【請求項３】
情報の名前は、依頼者若しくは依頼者の許可を得て配布する紙面に記載して開示するものである請求項１記載の閲覧仲介サービス。
【請求項４】
情報には、他のウェブサイトのＵＲＬを含めたものである請求項１記載の閲覧仲介サービス。
【請求項５】
特定のウェブサイトに掲載した情報は、所定の名前をそのウェブページに表示した入力ボタンでインプットして開くものである請求項１又は４記載の閲覧仲介サービス。
【請求項６】
特定のウェブサイトに掲載した情報は、そのウェブページに表示した入力欄に、所定の名前をキーボードでインプットして開くものである請求項１又は４記載の閲覧仲介サービス。
【請求項７】
特定のウェブサイトに掲載した情報は、パスワードの入力によって開くものである請求項１、４、５又は６記載の閲覧仲介サービス。
【請求項８】
特定のウェブサイトの主催者から通知された所定の名前を、該依頼者が主催するウェブサイトに掲載したアイコンにリンクさせることによって、その情報を開くものである請求項１記載の閲覧仲介サービス。
【発明の詳細な説明】
【０００１】
【発明の属する技術分野】
本発明は、依頼者の情報をウェブサイトに掲載すると共に、掲載した該情報の名前を該依頼者に通知し、該依頼者がその名前を開示することによって、該情報をコンピュータネットワークを介して伝達する閲覧仲介サービスに関するものである。
【０００２】
【従来の技術】
現在、コンピュータネットワークであるインターネットを利用して情報の公開や交換が広く行われている。一般的に、自己のウェブサイトを立ち上げることによって、自己の持つ情報を公開する広告機能としての利用が多い。また、種々の商品やサービスなどインターネットで公開されている情報をキーワードなどを使って検索できる検索エンジンなどのウェブサイトがある。
【０００３】
一般利用者が比較的よく利用するウェブサイトでは、企業等の広告をページに掲出することで、利益を得ることが可能であり、検索エンジンなどはこれを専業とするサービス業である。
【０００４】
【発明が解決しようとする課題】
ところが、自己のウェブサイトを持たない個人、企業、官公庁などにとって、インターネットは、自己の広告やサービスなどを広く一般に公開しうる手段としてほとんど活用できないことになる。
【０００５】
また、自己のウェブサイトを有する場合であっても、商品、景観、各種行事などの種々の静止画、動画、音声などの情報を、時期や期間などによって頻繁に更新していく必要があり、かなりの手間と費用がかかる問題が生じる。
【０００６】
【課題を解決するための手段】
そこで本発明者は上記問題に鑑み鋭意研究の結果、本発明を成し得たものであり、その特徴とするところは、情報を特定のウェブサイトに掲載することによって該情報を伝達する手段において、該特定のウェブサイトの主催者は、該特定のウェブサイトに依頼者からの情報を所定の名前で所定期間掲載すると共に、該依頼者に、該依頼者が開示する該所定の名前を通知することにある。
【０００７】
ここで、本明細書中でいう「情報」とは、コンピュータネットワークを利用して他に伝達するものをいう。例えば、現在インターネット上で公開されている各種の静止画や動画の他、テキスト情報、音声、音楽など、コンピュータネットワーク上で送受できるものである。
【０００８】
「特定のウェブサイト」とは、ＷＷＷ（Ｗｏｒｌｄ　Ｗｉｄｅ　Ｗｅｂ）システムを使ってインターネット上で公開するテキストデータやＨＴＭＬによるレイアウト情報、文書中に埋め込まれた画像や音声、動画などから構成される一つのウェブページ群をいう。このウェブサイトをインターネット上に立ち上げた主催者は、依頼者からの依頼によって上述した情報を所定期間掲載する。本発明に係る閲覧仲介サービスによる情報の掲載については、公共性や緊急性等を有する情報については、無償で掲載する場合もあるが、基本的には、依頼者からの掲載手数料、掲載する情報の取材費等で課金する他、特定のウェブサイトに貼り付ける広告（バナー広告）などで収入を得ることができる。
【０００９】
主催者は、その情報を該特定のウェブサイトに所定の名前を付けて掲載すると共に、その所定の名前を依頼者に通知する。基本的には、依頼者が特定のウェブサイトに掲載された情報の名前を開示することによって、その情報を公開させることになる。つまり、依頼者が特定のウェブサイトと掲載依頼した情報の名前をＵＲＬ（Ｕｎｉｆｏｒｍ　Ｒｅｓｏｕｒｃｅ　Ｌｏｃａｔｏｒ）形式で開示することで、その情報を他人に伝達することができる。この場合の開示とは、依頼者自身が行う他、依頼者が許可した他人が開示する場合も含むものとする。
【００１０】
特定のウェブサイトに掲出する情報は、該特定のウェブサイトを閲覧した何人も閲覧できるように開いた状態で掲載してもよいが、所定の名前を表示したアイコンに格納しておくこともできる。また、特定のウェブサイトのウェブページに入力欄や入力ボタンを表示しておき、閲覧する者がキーボードや該入力ボタンでその情報の名前を入力して開くようにしてもよい。
【００１１】
アイコンに格納したりキーボード等で入力して開く場合、パスワードを設定することも可能である。従って、この場合には依頼者が特定のウェブサイト、情報の名前及びパスワードを開示した人だけが、その情報を閲覧することができ、該情報の保護を図ることができる。
【００１２】
本発明に係る閲覧仲介サービスを利用する場合として、個人やその家族、家、庭、乗物、ペット、記念写真、事故現場、災害状況、官公庁・会社・工場・学校などの内外観、不動産の物件、旅館・ホテルの外観や部屋、宴会場、景観、景勝地、駅周辺、料理などの静止画、動画、パノラマ画像、論文や議事録などの文字情報、音声、音楽、若しくはこれらの組み合わせたものなどを特定のウェブサイトに掲載依頼することで、コンピュータネットワークを利用して閲覧できるようにする。
【００１３】
このような情報は、基本的に特定のウェブサイトに掲載されている情報の名前を開示した者だけに閲覧させるものである。情報の名前の開示手段としては、例えば、自己のウェブサイト、新聞や雑誌などの出版物、チラシ、手紙、電話や口答による伝言などである。
【００１４】
情報には、特定のウェブサイトの他の情報や他のウェブサイトのＵＲＬを含めることによって、リンクさせてもよい。また、情報の公開手段として、依頼者のウェブサイトなどにテキスト形式で記載したり、特定のウェブサイトに掲載した情報の名前をリンクさせることも可能である。このようにすると、依頼者のウェブサイトなどに掲載されている情報を入れ替えることなく、特定のウェブサイトに掲載した情報を入れ替えるだけで、更新することが可能となる。
【００１５】
【発明の実施の形態】
以下、本発明を図面に示す発明の実施の形態に基づいて詳細に説明する。
【００１６】
図１は本発明に係る閲覧仲介サービスの実施の形態の一例を示す。依頼者Ｃが情報として自ら撮影した写真を他人に見せたい場合、閲覧仲介サービスの主催者Ｐがインターネット上に立ち上げた画像バンクＢというウェブサイトに、その写真の掲載を依頼する。依頼者Ｃの写真は、インターネットを利用する送信やメール添付、郵送や手渡しなどの方法で主催者Ｐ側に渡す。或いは、主催者Ｐに撮影依頼してもよい。写真としては、デジタル画像だけでなく、プリントアウトしたもの、本やカタログ等の写真、銀塩写真、ネガフィルムなどでも良い。
【００１７】
主催者Ｐは、所定の料金を依頼者Ｃから受け取り、その写真をサーバーＳにアップロードして画像バンクＢというサイトに、例えば「１２３４５」という名前で掲載する。そして、その写真の「１２３４５」というサイト上での名前を依頼者Ｃに通知する。この名前は依頼者Ｃが希望する名前でもよく、主催者Ｐ側が設定した名前でもよい。これにより、依頼者Ｃは画像バンクＢというサイトの「１２３４５」という名前を閲覧希望者Ｕに開示することで、その閲覧希望者Ｕがインターネットを介してその写真を閲覧することができる。
【００１８】
閲覧仲介サービスを利用する具体的な例として、子供の写真を故郷の祖父や祖母、兄弟、友人などに見せたい場合、あたかも自分が開設したホームページのようにして自分の撮った写真を閲覧させることができ、複数の人に同時に見て貰うことが可能となる。また、その写真を見たい者にとっても、郵送されると保管場所に困る、メールに添付されると容量が大きくダウンロードに時間がかかる、ということを回避できるメリットが生じる。
【００１９】
また、自己のホームページを持たない不動産業者や飲食店などでも、チラシなどに「画像バンクの○○」と印刷しておくだけで、インターネットを利用して不動産物件の内外観、飲食店の内外観や料理の写真などを閲覧させることができ、広告宣伝量を大幅に増やすことができる。
【００２０】
この他、自己のホームページを持つ個人や業者でも、そのホームページの一つのアイコンに「画像バンクの○○」の名前（番地）をリンクさせておくことにより、その番地に掲載した写真を入れ替えるだけで、自己のホームページを更新することができる。例えば、動きが激しい不動産物件、期間限定の商品、イベントなどを掲載する場合に有効となる。しかも、写真の入れ替えなどの業務を閲覧仲介サービスの主催者Ｐ側に管理させることも可能である。
【００２１】
閲覧仲介サービスの主催者Ｐがインターネット上に立ち上げた画像バンク．ｃｏｍというウェブサイトのトップページには、例えば図２のように閲覧番号入力用の入力ボタンを表示する。閲覧希望者Ｕは、インターネットで画像バンク．ｃｏｍというウェブサイトにアクセスし、依頼者Ｃ若しくはその許可を得た者から開示された情報の名前として例えば「１２３４５」という数字を該入力ボタンで順にクリックしたり、キーボードで入力して開くことによって閲覧することができる。
【００２２】
閲覧仲介サービスのウェブサイトの情報掲載方法としては、図２に示すものの他、図３（ａ）のようにサムネイル形式で表示したり、同図（ｂ）のように名前を付けたアイコンＩに写真を格納して掲載してもよい。この場合、依頼者Ｃの希望によりパスワードを設定することもできる。
【００２３】
また、同図（ｃ）のように情報番号入力画面を表示し、閲覧希望者Ｕがキーボードで依頼者Ｃから開示された情報番号を入力して開いたり、同図（ｄ）のように閲覧を希望する者と、情報の掲載を希望する者がアクセスできるように両者のボタンを設けた形態でもよい。閲覧希望ボタンをクリックすると、前述した図２や図３（ａ）乃至（ｄ）のような画面が表示される。
【００２４】
掲載依頼者Ｃが画像バンクＢにアクセスして情報の掲載を依頼する場合のフローチャートを図４に示す。例えば図３（ｄ）の初期画面表示で「掲載御希望の方」のボタンをクリックして、ユーザー情報入力画面を表示する。この画面に掲載料金や掲載期間などを表示しておき、ユーザーの氏名、会社名、住所、電話番号、Ｅメールアドレス、コメント入力欄、料金納付方法選択欄、掲載期間入力欄、掲載情報選択欄などに入力する。そして、送信ボタンをクリックして、ユーザー情報と掲載依頼情報が閲覧仲介サービス主催者ＰのサーバーＳに送信される。
【００２５】
閲覧仲介サービス主催者Ｐ側では、サーバーＳに送られたこれらの情報を掲載情報管理ファイルとユーザー情報管理ファイルに蓄積しておく。そして、上述した公共性を有する場合や特定の契約をした場合等を除き掲載料金の決済を確認してから、掲載情報を画像バンクＢに所定の名前で掲載する。そして、その名前をＥメールで掲載依頼者Ｃに通知する。この場合、初めて登録したユーザーには会員登録して、ログインＩＤやパスワードなども通知するようにしてもよい。掲載依頼者Ｃが情報の名前の通知を受けることによって、掲載を依頼した情報が「画像バンクＢの○○」という名前で掲載が完了したことになる。そして、掲載依頼者Ｃは「画像バンクＢの○○」という名前を閲覧希望者Ｕに開示して、掲載依頼した情報を閲覧させる。
【００２６】
例えば、上述したように不動産仲介業者が画像仲介サービスを利用する場合として、図５のように家賃など種々のマンション賃貸情報の他に、ＵＲＬとして「画像バンク．ｃｏｍ」と各物件の番地（名前）を印刷したチラシを配布する。このチラシを見た閲覧希望者Ｕは、インターネットで物件の外観写真や間取り図等を閲覧することができる。不動産仲介業者は、チラシに物件の写真等を印刷する必要がなくなることや、場所をとる写真を省けるためより多くの物件を載せることが可能となる。閲覧希望者Ｕにとっても、多数の物件の中から交通手段や家賃などの条件によってかなり絞り込まれるため、条件に合わない物件の外観写真など必要としない情報を見なくても済む利点がある。
【００２７】
閲覧希望者Ｕは、「画像バンク．ｃｏｍ」にアクセスすると、図６のような開示された名前の物件の外観写真を閲覧することができる。本例の場合、表示画面にアイコンを設け、これをクリックすることによって図７のように物件の間取り図も閲覧できるようにしている。この場合、外観写真と共に間取り図を併せて表示してもよく、物件内部をパノラマ撮影した画像が閲覧できるようにリンク設定してもよい。ここでいう、このパノラマ画像は、物件の内部を３６０゜パノラマ撮影し、これを回転させることによって、あたかも動画のように閲覧できる機能である。
【００２８】
画像仲介サービスを利用する場合の他の例として、旅行業者のパンフレットなどに「画像バンク．ｃｏｍ／Ｔ００５８３６１」と記載しておけば、インターネットで図８のような搭乗するバスの外観写真が閲覧できる。そして、この画面に訪問地をリンクさせておくことにより、図９のように主要な景色も同時に閲覧させることができる。この他、コース図、旅館の外観、部屋の内部、料理の写真などでもよい。
【００２９】
この他、スクープ写真を撮った場合でも、これを閲覧仲介サービスに掲載依頼しておくことで、有効利用することができる。例えば、図１０のように撮影者が掲載依頼した閲覧仲介サービスのサイトとその名前を新聞社に開示し、その新聞社が日刊紙や号外に記載することにより、その記事の現場写真の配信が可能となる。特に、その写真を紙上に載せるのに間に合わない場合などに有効である。さらに、図１１のように最初の写真にその後の最新の写真をリンクさせることにより、現在の状況の配信も容易に行うことができる。また、紙面に［最新の情報は「画像バンク．ｃｏｍ／Ｓ０００３」をご覧下さい。］と記載して、閲覧仲介サービス側の掲載写真の張り替えだけで刻々と変わる状況の報道が可能となる。
【００３０】
閲覧仲介サービスの主催者が行うサービスとしては、静止画や動画などの掲載に伴う、写真撮影などの情報の取材、掲載依頼者Ｃから指定された掲載期間の管理、情報の名前（番地）の管理、掲載依頼者Ｃ所有掲載枠内での情報の交換、掲載依頼者Ｃが主催するホームページの作成やリンク設定など多岐に渡ることになる。
【００３１】
【発明の効果】
以上のように本発明に係る閲覧仲介サービスは、情報を特定のウェブサイトに掲載することによって該情報を伝達する手段において、該特定のウェブサイトの主催者は、該特定のウェブサイトに依頼者からの情報を所定の名前で所定期間掲載すると共に、該依頼者に、該依頼者が開示する該所定の名前を通知することにより、自己のホームページを持たない個人や業者などにとって、インターネットを利用する情報の伝達や広告機能を大幅に強化することができる。
【００３２】
また、自己のホームページを有する場合でも、特定のウェブサイトの掲載依頼した番地にリンクさせることで、画像の張り替えなどを閲覧仲介サービス側で行うことができ、ほとんど手間をかけることなくホームページを更新することができるなど、極めて有益な効果を有するサービスである。
【図面の簡単な説明】
【図１】本発明に係る閲覧仲介サービスの実施の形態の一例を示すブロック図である。
【図２】閲覧仲介サービスが主催するウェブサイトのトップページ実施の形態の一例を示す画面である。
【図３】（ａ）乃至（ｄ）は、夫々閲覧仲介サービス主催者のウェブサイトのトップページ実施の形態の他の例を示す画面である。
【図４】本発明に係る閲覧仲介サービスの実施の形態の一例を示すフローチャートである。
【図５】依頼者である不動産仲介業者が配布するチラシの一例を示す平面図である。
【図６】閲覧仲介サービス主催者のウェブサイトに掲載した情報の実施の形態の他の例を示す画面である。
【図７】図６に示した画面から他の画面にリンクした一例を示す画面である。
【図８】閲覧仲介サービス主催者のウェブサイトに掲載した情報の実施の形態のさらに他の例を示す画面である。
【図９】各画面は、夫々図８に示した画面から他の画面にリンクした一例を示す画面である。
【図１０】依頼者が掲載依頼した写真を新聞社が利用する場合の紙面の一例を示す平面図である。
【図１１】閲覧仲介サービス主催者のウェブサイトに掲載した情報の実施の形態のさらに他の例を示す画面である。
【符号の説明】
Ｐ　主催者
Ｃ　依頼者
Ｂ　画像バンク
Ｓ　サーバー
Ｕ　閲覧希望者
Ｉ　アイコン
【図１】
2004013535.tif 000003
【図２】
2004013535.tif 000004
【図３】
2004013535.tif 000005
【図４】
2004013535.tif 000006
【図５】
2004013535.tif 000007
【図６】
2004013535.tif 000008
【図７】
2004013535.tif 000009
【図８】
2004013535.tif 000010
【図９】
2004013535.tif 000011
【図１０】
2004013535.tif 000012
【図１１】
2004013535.tif 000013